(57)【要約】【課題】主制御装置及び複数台の無線ネットワーク装置を簡素な工程でローカルエリアネットワークに設定できる無線ネットワーク装置の制御方法及び無線ネットワーク機能を有する主制御装置を提供する。【解決手段】無線ネットワーク機能を有する主制御装置が、アクセスポイントモードに設定した複数の無線ネットワーク装置を検索する工程と、検索結果に基づいて、アクセスポイントモードに設定した無線ネットワーク装置から１つを選択して、主要なアクセスポイントとする工程と、選択されていないアクセスポイントモードに設定した無線ネットワーク装置のうち、少なくとも１つのクライアントモードを有効させる工程と、クライアントモードが既に有効された無線ネットワーク装置を、主要なアクセスポイントを介して無線ネットワーク機能を有する主制御装置と連結させる工程と、を備える無線ネットワーク装置の制御方法である。本発明は、また、無線ネットワーク機能を有する主制御装置を開示する。【選択図】図１
2014132745.tif 000002
【特許請求の範囲】
【請求項１】
無線ネットワーク機能を有する主制御装置が、アクセスポイントモードに設定した複数の無線ネットワーク装置を検索する工程（ａ）と、
工程（ａ）の検索結果に基づいて、前記アクセスポイントモードに設定した無線ネットワーク装置から１つを選択して、主要なアクセスポイントとする工程（ｂ）と、
選択されていない前記アクセスポイントモードに設定した無線ネットワーク装置の少なくとも１つに対して、クライアントモードを有効にさせる工程（ｃ）と、
クライアントモードに有効された前記無線ネットワーク装置の少なくとも１つを、前記主要なアクセスポイントを介して前記無線ネットワーク機能を有する主制御装置と接続させる工程（ｄ）と、
を備える無線ネットワーク装置の制御方法。
【請求項２】
工程（ａ）は、
前記アクセスポイントモードに設定した複数の無線ネットワーク装置のそれぞれの検出可能な装置の数を取得することを含み、
工程（ｂ）において、前記アクセスポイントモードに設定した無線ネットワーク装置のうち、最大の検出可能な装置の数値を有するものを選択する請求項１に記載の無線ネットワーク装置の制御方法。
【請求項３】
前記主要なアクセスポイントに接続することに用いる、前記主要なアクセスポイントの接続プロフィールを取得する工程と、
前記接続プロフィールを、選択されていない前記アクセスポイントモードに設定した無線ネットワーク装置の少なくとも１つに伝送する工程と、
選択されていない前記アクセスポイントモードに設定した無線ネットワーク装置の少なくとも１つは、クライアントモードが有効された後で、前記接続プロフィールによって前記主要なアクセスポイントに接続する工程と、
を更に備える請求項１に記載の無線ネットワーク装置の制御方法。
【請求項４】
前記主要なアクセスポイントがクライアントモード及びアクセスポイントモードを同時に有効にできる場合、前記主要なアクセスポイントが、選択されていない前記アクセスポイントモードに設定した無線ネットワーク装置の少なくとも１つに接続して、前記接続プロフィールを伝送する工程、
を更に備える請求項３に記載の無線ネットワーク装置の制御方法。
【請求項５】
工程（ａ）は、
工程（ｂ）の選択の根拠とすることに用いる、前記アクセスポイントモードに設定した複数の無線ネットワーク装置のそれぞれの接続関連情報を取得工程、
を含む請求項１に記載の無線ネットワーク装置の制御方法。
【請求項６】
前記アクセスポイントモードに設定した複数の無線ネットワーク装置のそれぞれの前記接続関連情報は、前記アクセスポイントモードに設定した複数の無線ネットワーク装置のそれぞれの信号強度、通信チャンネル情報、通信インタフェース情報又はインターネット接続情報を含む請求項５に記載の無線ネットワーク装置の制御方法。
【請求項７】
選択されていない前記アクセスポイントモードに設定した無線ネットワーク装置の少なくとも１つは、クライアントモード及びアクセスポイントモードを同時に有効にできる場合、選択されていない前記アクセスポイントモードに設定した無線ネットワーク装置の少なくとも１つに対して、クライアントモードを有効にさせて、アクセスポイントモード動作を維持させる工程、
を更に備える請求項１に記載の無線ネットワーク装置の制御方法。
【請求項８】
無線ネットワークモジュールと、
前記無線ネットワークモジュールに電気的に接続する処理素子と、
を備え、
前記処理素子は、前記無線ネットワークモジュールを駆動して、無線ネットワークを介してアクセスポイントモードに設定した複数の無線ネットワーク装置を検索して、検索結果を発生する検索モジュールと、
前記検索結果に基づいて、前記アクセスポイントモードに設定した無線ネットワーク装置から１つを選択して、主要なアクセスポイントとするモジュールと、
選択されていない前記アクセスポイントモードに設定した無線ネットワーク装置の少なくとも１つに対して、クライアントモードを有効にさせて、クライアントモードが既に有効された前記少なくとも１つの無線ネットワーク装置を、前記主要なアクセスポイントを介して前記無線ネットワーク機能を有する主制御装置と接続させる接続確立モジュールと、を含む、無線ネットワーク機能を有する主制御装置。
【請求項９】
前記検索モジュールは、
前記アクセスポイントモードに設定した複数の無線ネットワーク装置のそれぞれの検出可能な装置の数を取得するデータ取得器を含み、
前記選択モジュールは、前記アクセスポイントモードに設定した無線ネットワーク装置のうち、最大の検出可能な装置の数値を有するものを選択する請求項８に記載の無線ネットワーク機能を有する主制御装置。
【請求項１０】
前記処理素子は、
前記無線ネットワークモジュールを駆動し、前記無線ネットワークを介して、前記主要なアクセスポイントに接続することに用いる、前記主要なアクセスポイントの接続プロフィールを取得する取得モジュールと、
前記接続プロフィールを選択されていない前記アクセスポイントモードに設定した無線ネットワーク装置の少なくとも１つに伝送する伝送モジュールと、を更に含み、
選択されていない前記アクセスポイントモードに設定した無線ネットワーク装置の少なくとも１つは、クライアントモードが有効にされた後で、前記接続プロフィールによって前記主要なアクセスポイントに接続する請求項８に記載の無線ネットワーク機能を有する主制御装置。
【請求項１１】
前記検索モジュールは、
前記アクセスポイントモードに設定した複数の無線ネットワーク装置のそれぞれの接続関連情報を取得して、前記選択モジュールの選択の根拠とするデータ取得器を含む請求項８に記載の無線ネットワーク機能を有する主制御装置。
【請求項１２】
前記アクセスポイントモードに設定した複数の無線ネットワーク装置のそれぞれの前記接続関連情報は、前記アクセスポイントモードに設定した複数の無線ネットワーク装置のそれぞれの信号強度、通信チャンネル情報、通信インタフェース情報又はインターネット接続情報を含む請求項１１に記載の無線ネットワーク機能を有する主制御装置。
【発明の詳細な説明】
【技術分野】
【０００１】
本発明は、無線ネットワーク装置の制御方法及び無線ネットワーク機能を有する主制御装置に関する。
【背景技術】
【０００２】
無線ネットワークとは、ケーブル無しにノードの間で互いに連結できる如何なるネットワークであって、一般的に通信ネットワークに組み込まれる。無線ネットワークは、一般的に、例えば、ＣＤＭＡ２０００、ＧＰＲＳ、ＧＳＭ（登録商標）、ＵＴＭＳ、Ｗｉ‐Ｆｉ、ＷｉＭａｘ等の、電波を搬送波及び物理層とするネットワークのような、電磁波を使用する遠隔情報転送システムに適用されている。
【０００３】
無線ネットワークに別にＬＡＮケーブルを差し込まなくても、無線接続してネットワークサービスを取得することができるため、ますます多くの人が無線ネットワークを使ってネットサーフィンをする。また、無線ネットワーク技術が絶え間なく進歩するにつれて、無線ネットワークの提供できる転送レートもますます速くなっている。従って、例えば、コンピュータ、携帯情報端末（ｐｅｒｓｏｎａｌ  ｄｉｇｉｔａｌ  ａｓｓｉｓｔａｎｔ；ＰＤＡ）、デジタルフォトフレーム（Ｄｉｇｉｔａｌ  Ｐｈｏｔｏ  Ｆｒａｍｅ；ＤＰＦ）等のようなますます多くの装置は、無線ネットワークを使ってデータを転送するようになる。言い換えれば、無線ネットワークによるデータ転送は、現在、業界の傾向になっている。
【０００４】
通常の無線ネットワーク装置について、例えば無線ネットワーク機能を有するカメラは、一般的に、アクセスポイントモード（Ａｃｃｅｓｓ  Ｐｏｉｎｔ  ｍｏｄｅ；以下、ＡＰ  ｍｏｄｅと略称する）を初期設定として、ユーザーがパソコンのようなネットワーク機能を有する主制御装置を介して、当該無線ネットワーク装置に接続することができ、両方が接続した後、ユーザーが主制御装置によって無線ネットワーク装置を制御することができる。しかしながら、一般的に、無線ネットワーク機能を有する主制御装置は、一度に１台のアクセスポイント（Ａｃｃｅｓｓ  Ｐｏｉｎｔ；ＡＰ）にしか接続できないため、アクセスポイントモードに設定される複数台の無線ネットワーク装置を制御又は操作する場合、同一の主制御装置は、前記複数台の無線ネットワーク装置に何度も接続して、接続を切らなければならないので、過程が相当に複雑である。主制御装置及び複数台の無線ネットワーク装置をローカルエリアネットワーク（ｌｏｃａｌ  ａｒｅａ  ｎｅｔｗｏｒｋ、ＬＡＮ）に設定しようとすれば、ユーザーにより複数の無線ネットワーク装置のそれぞれに設定する必要があり、工程が面倒で時間がかかり、コンピュータの設定に詳しくないユーザーにとって、更に迷惑になる。
【発明の概要】
【発明が解決しようとする課題】
【０００５】
これに鑑みて、本発明の目的は、主制御装置及び複数台の無線ネットワーク装置を簡素な工程でローカルエリアネットワークに設定できる無線ネットワーク装置の制御方法及び無線ネットワーク機能を有する主制御装置を提供することである。
【課題を解決するための手段】
【０００６】
従って、本発明の一態様は、無線ネットワーク装置の制御方法を提供することである。無線ネットワーク装置の制御方法において、検出されたアクセスポイントモードに設定した複数の無線ネットワーク装置から１つを選択して、アクセスポイントモードに維持させ、それ以外の無線ネットワーク装置をクライアントモード（Ｃｌｉｅｎｔ  ｍｏｄｅ）に切り替えさせるように、制御又は操作する。無線ネットワーク装置の制御方法は、
無線ネットワーク機能を有する主制御装置が、アクセスポイントモードに設定した複数の無線ネットワーク装置を検索する工程（ａ）と、
工程（ａ）の検索結果に基づいて、アクセスポイントモードに設定した無線ネットワーク装置から１つを選択して、主要なアクセスポイントとする工程（ｂ）と、
選択されていないアクセスポイントモードに設定した無線ネットワーク装置のうち、少なくとも１つのクライアントモードを有効にさせる工程（ｃ）と、
クライアントモードに有効された無線ネットワーク装置の少なくとも１つを、主要なアクセスポイントを介して無線ネットワーク機能を有する主制御装置と接続させる工程（ｄ）と、を備える。
【０００７】
本発明の別の態様は、無線ネットワーク機能を有する主制御装置を提供することである。無線ネットワーク機能を有する主制御装置は、検出されたアクセスポイントモードに設定した複数の無線ネットワーク装置から１つを選択して、アクセスポイントモードに維持させ、それ以外の無線ネットワーク装置をクライアントモードに切り替えさせる。無線ネットワーク機能を有する主制御装置は、互いに電気的に接続する無線ネットワークモジュールと、処理素子と、を備える。処理素子は、検索モジュールと、選択モジュールと、接続確立モジュールと、を含む。検索モジュールは、無線ネットワークモジュールを駆動して、無線ネットワークを介してアクセスポイントモードに設定した複数の無線ネットワーク装置を検索して、検索結果を発生する。選択モジュールは、検索結果に基づいて、アクセスポイントモードに設定した無線ネットワーク装置から１つを選択して、主要なアクセスポイントとする。接続確立モジュールは、選択されないアクセスポイントモードに設定した無線ネットワーク装置に対して、クライアントモードを有効にさせて、クライアントモードが既に有効にされた無線ネットワーク装置を、主要なアクセスポイントを介して無線ネットワーク機能を有する主制御装置と接続させる。
【発明の効果】
【０００８】
これにより、主制御装置及び複数台の無線ネットワーク装置を簡素な工程でローカルエリアネットワークに設定できるようになる。
【図面の簡単な説明】
【０００９】
下記図面の説明は、本発明の目的、特徴、メリット、実施例をより分かりやすくするためのものである。
【００１０】
【図１】本発明の一実施例による無線ネットワーク装置の制御方法のフロー図である。
【図２】本発明の無線ネットワーク装置の制御方法を適用した適用例である。
【図３】本発明の一実施例による無線ネットワーク機能を有する主制御装置を示す機能ブロック図である。
【発明を実施するための形態】
【００１１】
以下では、図面及び詳細な説明により本発明の精神を説明し、当該技術の分野における通常の知識を有する者が、本発明の好ましい実施例を理解した後、本発明が開示する技術に変更や補正を加えることも、本発明の精神及び範囲を逸脱するものではない。
【００１２】
図１は、本発明の一実施例による無線ネットワーク装置の制御方法のフロー図である。図２は、本発明の無線ネットワーク装置の制御方法を適用した適用例である。図１及び図２を同時に参照する。無線ネットワーク装置の制御方法において、検出されたアクセスポイントモードに設定した複数の無線ネットワーク装置から１つを選択して、アクセスポイントモードに維持させ、それ以外の少なくとも１つの無線ネットワーク装置に対して、そのクライアントモードを有効にさせて、アクセスポイントモードに維持する無線ネットワーク装置に接続させる。無線ネットワーク装置の制御方法は、コンピュータプログラムによって実作することができる。コンピュータプログラムは、コンピュータ読み取り可能な記憶媒体に保存されてよく、コンピュータがこの記録媒体を読み取ってこの無線ネットワーク装置の制御方法を実行できるようにする。コンピュータ読み取り可能な記憶媒体としては、読み取り専用メモリ、フラッシュメモリ、フロッピー（登録商標）ディスク、ハードディスク、光ディスク、ＵＳＢフラッシュディスク、磁気テープ、ネットワークアクセス可能なデータベースや、当業者が容易に想到できる同様な機能を有するコンピュータ読み取り可能な記憶媒体であってよい。
【００１３】
無線ネットワーク装置の制御方法１００は、以下の工程を備える。
【００１４】
工程１１０において、無線ネットワーク機能を有する主制御装置２００が、アクセスポイントモードを初期設定とする複数の無線ネットワーク装置３０１、３０２、３０３を検索する。無線ネットワーク機能を有する主制御装置２００としては、パソコン、ノートパソコン、サーバ、携帯電話又は無線ネットワーク機能を有する他の電子装置であってよい。
【００１５】
工程１２０において、工程１１０の検索結果に基づいて、アクセスポイントモードに設定した無線ネットワーク装置３０１、３０２、３０３から１つを選択して、主要なアクセスポイント（Ｓｕｐｅｒ  ＡＰともいう）とする。本実施例において、工程１２０でアクセスポイントモードに設定した無線ネットワーク装置３０１を選択して、主要なアクセスポイントとすることを仮定する。
【００１６】
工程１３０において、選択されていないアクセスポイントモードに設定した無線ネットワーク装置のうち、少なくとも１つ（例としては、本実施例における無線ネットワーク装置３０２、３０３）のクライアントモードを有効にさせる。
【００１７】
工程１４０において、クライアントモードが既に有効された無線ネットワーク装置３０２、３０３を、主要なアクセスポイント３０１を介して無線ネットワーク機能を有する主制御装置２００と接続させる。次に、無線ネットワーク機能を有する主制御装置２００は、主要なアクセスポイント３０１を介して、無線ネットワーク装置３０１、３０２、３０３を制御又は操作することができる。本実施例において、無線ネットワーク機能を有する主制御装置２００が、まず無線ネットワーク装置３０２に接続して、そのクライアントモードを有効にさせて「主要なアクセスポイントに接続するコマンド」を転送し、有効が終了して接続中断になった後、続いて無線ネットワーク装置３０３に接続して上記工程を繰り返す。また、無線ネットワーク装置３０２、３０３は、クライアントモード及びアクセスポイントモードを同時に有効にできる場合、無線ネットワーク装置３０２、３０３のクライアントモードを有効にさせてアクセスポイントモード動作を維持させながら、主要なアクセスポイントに接続させてもよい。なお、主制御装置２００又は無線ネットワーク装置３０１が、無線ネットワーク装置３０２、３０３に接続して、主要なアクセスポイントに接続させてもよい。このように、無線ネットワーク機能を有する主制御装置２００、及び無線ネットワーク装置３０１、３０２、３０３により、ローカルエリアネットワークを形成することができ、無線ネットワーク機能を有する主制御装置２００が、同一のローカルエリアネットワークにおける複数の無線ネットワーク装置３０１、３０２、３０３を同時に操作できることなる。言い換えれば、無線ネットワーク機能を有する主制御装置２００は、異なる無線ネットワーク装置を制御又は操作するために、異なる無線ネットワーク装置に切り替えて接続する必要がなく、複雑な接続設定を省略できる。また、実際に操作する場合、ユーザーが、主要なアクセスポイントに接続すべき無線ネットワーク装置を選択してもよい。
【００１８】
また、本発明の一部の実施例において、無線ネットワーク機能を有する主制御装置２００は、主要なアクセスポイントである無線ネットワーク装置３０１から、そのローカルエリアネットワークに接続する無線ネットワーク装置３０２、３０３の情報を取得して、無線ネットワーク機能を有する主制御装置２００の制御又は操作の根拠とすることができる。
【００１９】
工程１１０の一部の実施例において、検索する過程中、アクセスポイントモードに設定した無線ネットワーク装置３０１、３０２、３０３に対して、それぞれの検出できる装置の数を取得することができる。そこで、工程１２０において、無線ネットワーク装置３０１、３０２、３０３の検出できる装置の数値に基づいて、主要なアクセスポイントとして最適な無線ネットワーク装置を選択することができる。例として、アクセスポイントモードに設定された場合、無線ネットワーク装置３０１が無線ネットワーク装置３０２、３０３を同時に検出できるので、その検出できる装置の数は２であるし、無線ネットワーク装置３０２が無線ネットワーク装置３０３しか検出できないので、その検出できる装置の数は１であるし、無線ネットワーク装置３０３が無線ネットワーク装置３０２しか検出できないので、その検出できる装置の数は１である。そこで、工程１２０において、最大の検出できる装置の数を有する無線ネットワーク装置３０１を選択する。
【００２０】
工程１１０の別の一部の実施例において、検索する過程中、アクセスポイントモードに設定した無線ネットワーク装置３０１、３０２、３０３に対して、それぞれの接続関連情報を取得して、工程１２０の選択の根拠とすることができる。アクセスポイントモードに設定した無線ネットワーク装置３０１、３０２、３０３の接続関連情報は、その信号強度、通信チャンネル情報、通信インタフェース情報、インターネット接続情報、他の接続関連情報又はその組み合わせを含んでよい。そこで、工程１２０の一部の実施例において、無線ネットワーク装置３０１、３０２、３０３のにおける１種類の接続関連情報に基づいて選択してよい。また、工程１２０の別の一部の実施例において、無線ネットワーク装置３０１、３０２、３０３の数種類の接続関連情報に対して重み付け計算を行って、例えば、信号強度と検出可能な装置の数のそれぞれの５０％で重み付け計算を行って、選択の根拠とすることができる。
【００２１】
また、無線ネットワーク装置の制御方法１００は、主要なアクセスポイント３０１に接続することに用いる、主要なアクセスポイント３０１の接続プロフィールを取得する工程と、その接続プロフィールを、選択されていないアクセスポイントモードに設定した無線ネットワーク装置３０２、３０３に伝送する工程と、を更に備えてよい。（主要なアクセスポイントとして選択された）無線ネットワーク装置３０１がクライアントモード及びアクセスポイントモードを同時に有効にできれば、（主要なアクセスポイントとして選択された）無線ネットワーク装置３０１が、アクセスポイントモードに設定した無線ネットワーク装置３０２、３０３と別々に接続して、接続プロフィールを伝送してもよい。そこで、選択されていないアクセスポイントモードに設定した無線ネットワーク装置３０２、３０３は、クライアントモードが有効にされた後で、接続プロフィールに基づいて、主要なアクセスポイント３０１に接続することができる。クライアントモードが既に有効された無線ネットワーク装置３０２、３０３が主要なアクセスポイント３０１に接続された後、主要なアクセスポイント３０１を介して、無線ネットワーク機能を有する主制御装置２００と接続することができる（工程１４０）。
【００２２】
また、無線ネットワーク装置の制御方法１００の一部の実施例において、無線ネットワーク機能を有する主制御装置２００は、アクセスポイントモードに設定した新しい無線ネットワーク装置を検出する場合、主要なアクセスポイント３０１の接続プロフィールをアクセスポイントモードに設定した新しい無線ネットワーク装置に伝送して、そのクライアントモードを有効にさせることができる。そこで、この新しい無線ネットワーク装置は、クライアントモードが有効にさせられた後で、主要なアクセスポイント３０１に接続して、主要なアクセスポイント３０１を介して、無線ネットワーク機能を有する主制御装置２００と接続することができる（工程１４０）。
【００２３】
また、無線ネットワーク装置の制御方法１００の別の一部の実施例において、無線ネットワーク機能を有する主制御装置２００は、アクセスポイントモードに設定した新しい無線ネットワーク装置を検出する場合、工程１１０〜１４０を再び実行し、無線ネットワーク装置３０１及び新しい無線ネットワーク装置から再び選択することができる。。
【００２４】
図３を参照されたい。図３は、本発明の一実施例による無線ネットワーク機能を有する主制御装置を示す機能ブロック図である。無線ネットワーク機能を有する主制御装置は、検出されたアクセスポイントモードに設定した複数の無線ネットワーク装置から１つを選択して、アクセスポイントモードに維持させ、それ以外の無線ネットワーク装置に対して、そのクライアントモードを有効にさせる。
【００２５】
無線ネットワーク機能を有する主制御装置４００は、互いに電気的に接続する無線ネットワークモジュール４１０と、処理素子４２０と、を備える。無線ネットワークモジュール４１０は、無線ネットワーク通信プロトコルを介して、無線ネットワークに接続することができる。
【００２６】
処理素子４２０は、検索モジュール４２１と、選択モジュール４２２と、接続確立モジュール４２３と、を含む。検索モジュール４２１は、無線ネットワークモジュール４１０を駆動して、無線ネットワークを介してアクセスポイントモードに設定した無線ネットワーク装置を検索して、検索結果を発生する。検索モジュール４２１は、無線ネットワークモジュール４１０を駆動して、アクセスポイントの識別情報を持続的に受信させ、アクセスポイントモードに設定した無線ネットワーク装置５０１、５０２、５０３を検索することができる。。
【００２７】
選択モジュール４２２は、検索結果に基づいて、アクセスポイントモードに設定した無線ネットワーク装置５０１、５０２、５０３から１つを選択して、主要なアクセスポイントとする。本実施例において、選択モジュール４２２がアクセスポイントモードに設定した無線ネットワーク装置５０１を選択すると仮定する。
【００２８】
接続確立モジュール４２３は、選択されていないアクセスポイントモードに設定した無線ネットワーク装置５０２、５０３と別々に接続して、そのクライアントモードを有効にさせる。また、選択されていない無線ネットワーク装置がクライアントモードとアクセスポイントモードを同時に有効にできれば、クライアントモード及びアクセスポイントモードを同時に有効にさせてもよい。次に、接続確立モジュール４２３が、既に切り替えられた無線ネットワーク装置５０２、５０３を、主要なアクセスポイント５０１を介して無線ネットワーク機能を有する主制御装置４００と接続させる。次に、無線ネットワーク機能を有する主制御装置４００は、主要なアクセスポイント５０１を介して、無線ネットワーク装置５０１、５０２、５０３を制御又は操作することができる。このように、無線ネットワーク機能を有する主制御装置４００、及び無線ネットワーク装置５０１、５０２、５０３により、ローカルエリアネットワークを形成することができ、無線ネットワーク機能を有する主制御装置４００が、同一のローカルエリアネットワークにおける複数の無線ネットワーク装置５０１、５０２、５０３を同時に操作できることになる。言い換えれば、無線ネットワーク機能を有する主制御装置４００は、異なる無線ネットワーク装置を制御又は操作するために、アクセスポイントモードの設定が異なる無線ネットワーク装置のそれぞれに切り替える必要がない。また、本発明の一部の実施例において、無線ネットワーク機能を有する主制御装置４００は、主要なアクセスポイント５０１から、そのローカルエリアネットワークに接続する無線ネットワーク装置５０２、５０３の情報を取得して、制御又は操作の根拠とすることができる。
【００２９】
本発明の一部の実施例において、検索モジュール４２１のデータ取得器４２１ａは、アクセスポイントモードに設定した各無線ネットワーク装置５０１、５０２、５０３が検出可能な装置の数を取得することができる。そこで、選択モジュール４２２は、アクセスポイントモードに設定した無線ネットワーク装置５０１、５０２、５０３のうち、最大の検出可能な装置の数を有するものを選択することができる。
【００３０】
本発明の一部の実施例において、検索モジュール４２１のデータ取得器４２１ａは、アクセスポイントモードに設定した無線ネットワーク装置５０１、５０２、５０３の接続関連情報を取得して、選択モジュール４２２の選択の根拠とすることができる。アクセスポイントモードに設定した無線ネットワーク装置５０１、５０２、５０３の接続関連情報は、その信号強度、通信チャンネル情報、通信インタフェース情報、インターネット接続情報、他の接続関連情報又はその組み合わせを含んでよい。そこで、本発明の一部の実施例において、選択モジュール４２２は、無線ネットワーク装置５０１、５０２、５０３における１種類の接続関連情報によって選択してよい。また、本発明の別の一部の実施例において、選択モジュール４２２は、無線ネットワーク装置５０１、５０２、５０３の数種類の接続関連情報に対して重み演算を行って、選択の根拠とすることができる。
【００３１】
また、処理素子４２０は、取得モジュール４２４と、伝送モジュール４２５と、を更に含んでよい。取得モジュール４２４は、無線ネットワークモジュール４１０を駆動して、無線ネットワークを介して、主要なアクセスポイント５０１に接続することに用いる、主要なアクセスポイント５０１の接続プロフィールを取得する。伝送モジュール４２５は、無線ネットワークモジュール４１０を駆動して、接続プロフィールを選択されていないアクセスポイントモードに設定した無線ネットワーク装置５０２、５０３に伝送する。選択されていないアクセスポイントモードに設定した無線ネットワーク装置５０２、５０３は、クライアントモードが有効にされた後で、受信した接続プロフィールによって主要なアクセスポイント５０１に接続することができる。
【００３２】
また、無線ネットワーク機能を有する主制御装置４００は、アクセスポイントモードに設定した他の無線ネットワーク装置があるかどうかを持続的に検出することができる。本発明の一部の実施例において、無線ネットワーク機能を有する主制御装置４００は、アクセスポイントモードに設定した新しい無線ネットワーク装置を検出した場合、主要なアクセスポイント５０１の接続プロフィールをアクセスポイントモードに設定した新しい無線ネットワーク装置に伝送して、クライアントモードを有効にすることを要求できる。そこで、この新しい無線ネットワーク装置は、クライアントモードに切り替えられた後で、主要なアクセスポイント５０１に接続して、主要なアクセスポイント５０１を介して無線ネットワーク機能を有する主制御装置４００と接続することができる。
【００３３】
本発明の別の一部の実施例において、無線ネットワーク機能を有する主制御装置４００は、アクセスポイントモードに設定した新しい無線ネットワーク装置を検出した場合、検索モジュール４２１、選択モジュール４２２及び接続確立モジュール４２３を再び使って、既に選択された無線ネットワーク装置５０１及び新しい無線ネットワーク装置から再び主要なアクセスポイントを選択してよい。
【００３４】
本発明では、実施形態を前述の通りに開示したが、これは本発明を限定するものではなく、当業者なら誰でも、本発明の精神と領域から逸脱しない限り、多様の変更や修正を加えることができる。従って、本発明の保護範囲は、後の特許請求の範囲で指定した内容を基準とする。
【符号の説明】
【００３５】
１００  無線ネットワーク装置の制御方法、  
２００  無線ネットワーク機能を有する主制御装置、  
３０１、３０２、３０３  無線ネットワーク装置、  
４００  無線ネットワーク機能を有する主制御装置、  
４１０  無線ネットワークモジュール、  
４２０  処理素子、  
４２１  検索モジュール、  
４２１ａ  データ取得器、  
４２２  選択モジュール、  
４２３  接続確立モジュール、  
４２４  取得モジュール、  
４２５  伝送モジュール、  
５０１、５０２、５０３  無線ネットワーク装置、  
１１０〜１４０  工程。  
【図１】
2014132745.tif 000003
【図２】
2014132745.tif 000004
【図３】
2014132745.tif 000005